【手続補正書】
【提出日】平成23年3月16日(2011.3.16)
【手続補正１】
【補正対象書類名】特許請求の範囲
【補正対象項目名】全文
【補正方法】変更
【補正の内容】
【特許請求の範囲】
【請求項１】
４：２：２プログレッシブ信号からクロマアップサンプリングエラーを検出するエラー検出方法であって、
輝度信号にコーミングがなく色差信号にコーミングがあるものをクロマアップサンプリングエラーとして検出する、エラー検出方法。
【請求項２】
４：２：２インタレース信号からクロマアップサンプリングエラーを検出するエラー検出方法であって、
輝度信号及び色差信号に時間補間をし、
輝度信号にコーミングがなく色差信号にコーミングがあるものをクロマアップサンプリングエラーとして検出する、エラー検出方法。
【請求項３】
４：２：２プログレッシブ信号からクロマアップサンプリングエラーを検出してエラーを低減するエラー低減方法であって、
輝度信号にコーミングがなく色差信号にコーミングがあるものをクロマアップサンプリングエラーとして検出し、
前記クロマアップサンプリングエラーが検出された色差信号に垂直ローパスフィルタを適用する、エラー低減方法。
【請求項４】
４：２：２インタレース信号からクロマアップサンプリングエラーを検出するエラー検出方法であって、
輝度信号の動きを検出し、動きがある場合は前記輝度信号に空間補間をし、動きがない場合は前記輝度信号に時間補間をし、
色差信号に対し、前記輝度信号に動きがある場合は空間補間をし、前記輝度信号に動きがない場合であってコーミングがなく前記色差信号にコーミングがある場合はクロマアップサンプリングエラーが有として前記色差信号に空間補間をし、前記輝度信号に動きがなく前記クロマアップサンプリングエラーがない場合は前記色差信号に時間補間を施す、エラー低減方法。
【請求項５】
４：２：２インタレース信号からクロマアップサンプリングエラーを検出するエラー検出方法であって、
輝度信号の動きを検出し、動きがある場合は前記輝度信号に空間補間をし、動きがない場合は前記輝度信号に時間補間をし、
色差信号に対し前記輝度信号に動きがある場合は空間補間をし、前記輝度信号に動きがない場合であってコーミングがなく前記色差信号にコーミングがある場合はクロマアップサンプリングエラーが有として前記色差信号に時間補間をした後垂直ローパスフィルタを適用し、前記輝度信号に動きがなく前記クロマアップサンプリングエラーがない場合は前記色差信号に時間補間を施す、エラー低減方法。
【請求項６】
４：２：２プログレッシブ信号のクロマアップサンプリングエラーを低減するエラー低減装置であって、
輝度信号からコーミングがないことを検出するコーミング無検出回路と、
色差信号からコーミングがあることを検出するコーミング有検出回路と、
前記色差信号が入力される垂直ローパスフィルタと、
前記色差信号と前記垂直ローパスフィルタが施された色差信号のいずれかを、前記コーミング無検出回路及び前記コーミング有検出回路の検出結果に基づき選択するセレクタとを有し、
前記輝度信号にコーミングがなく前記色差信号にコーミングがある場合、前記色差信号に前記垂直ローパスフィルタを適用して出力するエラー低減装置。
【請求項７】
４：２：２インタレース信号のクロマアップサンプリングエラーを低減するエラー低減装置であって、
輝度信号の空間補間を行う輝度空間補間回路と、
前記輝度信号の時間補間を行う輝度時間補間回路と、
前記輝度信号の動きを検出する動き検出回路と、
色差信号の時間補間を行う色差時間補間回路と、
前記色差信号の空間補間を行う色差空間補間回路と、
前記輝度時間補間回路の結果からコーミングがないことを検出するコーミング無検出回路と、
前記色差時間補間回路の結果からコーミングがあることを検出するコーミング有検出回路と、
前記色差時間補間回路の出力と前記色差空間補間回路の出力のいずれかを、前記コーミング無検出回路及び前記コーミング有検出回路の検出結果に基づき選択する第１のセレクタと、
前記第１のセレクタの出力と前記色差空間補間回路の出力のいずれかを、前記動き検出回路の検出結果に基づき選択する第２のセレクタと、
前記輝度空間補間回路の出力と前記輝度時間補間回路の出力のいずれかを、前記動き検出回路の検出結果に基づき選択する第３のセレクタとを有し、
前記輝度信号に動きがある場合は前記色差信号に空間補間をし、前記輝度信号に動きがない場合であって前記輝度信号にコーミングがなく前記色差信号にコーミングがある場合はクロマアップサンプリングエラーが有として前記色差信号に空間補間をし、前記輝度信号に動きがなく前記クロマアップサンプリングエラーがない場合は前記色差信号に時間補間を施し、前記輝度信号に動きがある場合前記輝度信号に空間補間を施し、動きがない場合は前記輝度信号に時間補間を施し出力する、エラー低減装置。
【請求項８】
４：２：２インタレース信号のクロマアップサンプリングエラーを低減するエラー低減装置であって、
輝度信号の空間補間を行う輝度空間補間回路と、
前記輝度信号の時間補間を行う輝度時間補間回路と、
前記輝度信号の動きを検出する動き検出回路と、
色差信号の時間補間を行う色差時間補間回路と、
前記色差信号の空間補間を行う色差空間補間回路と、
前記色差時間補間回路の結果が入力される垂直ローパスフィルタと、
前記輝度時間補間回路の結果からコーミングがないことを検出するコーミング無検出回路と、
前記色差時間補間回路の結果からコーミングがあることを検出するコーミング有検出回路と、
前記色差時間補間回路の出力と前記垂直ローパスフィルタの出力のいずれかを、前記コーミング無検出回路及び前記コーミング有検出回路の検出結果に基づき選択する第１のセレクタと、
前記第１のセレクタの出力と前記色差空間補間回路の出力のいずれかを、前記動き検出回路の検出結果に基づき選択する第２のセレクタと、
前記輝度空間補間回路の出力と前記輝度時間補間回路の出力のいずれかを、前記動き検出回路の検出結果に基づき選択する第３のセレクタとを有し、
前記輝度信号に動きがある場合は前記色差信号に空間補間をし、前記輝度信号に動きがない場合であって前記輝度信号にコーミングがなく前記色差信号にコーミングがある場合はクロマアップサンプリングエラーが有として当該色差信号に時間補間をした後垂直ローパスフィルタを適用し、前記輝度信号に動きがなく前記クロマアップサンプリングエラーがない場合は前記色差信号に時間補間を施し、前記輝度信号に動きがある場合前記輝度信号に空間補間を施し、動きがない場合は前記輝度信号に時間補間を施し出力するエラー低減装置。
【手続補正２】
【補正対象書類名】明細書
【補正対象項目名】００１１
【補正方法】変更
【補正の内容】
【００１１】
本発明に係るエラー低減方法は、４：２：２インタレース信号からクロマアップサンプリングエラーを検出するエラー検出方法であって、輝度信号の動きを検出し、動きがある場合は前記輝度信号に空間補間をし、動きがない場合は前記輝度信号に時間補間をし、色差信号に対し、前記輝度信号に動きがある場合は空間補間をし、前記輝度信号に動きがない場合であってコーミングがなく前記色差信号にコーミングがある場合はクロマアップサンプリングエラーが有として前記色差信号に空間補間をし、前記輝度信号に動きがなく前記クロマアップサンプリングエラーがない場合は前記色差信号に時間補間を施すものである。
【手続補正３】
【補正対象書類名】明細書
【補正対象項目名】００１６
【補正方法】変更
【補正の内容】
【００１６】
本発明に係るエラー低減装置は、４：２：２インタレース信号のクロマアップサンプリングエラーを低減するエラー低減装置であって、輝度信号の空間補間を行う輝度空間補間回路と、前記輝度信号の時間補間を行う輝度時間補間回路と、前記輝度信号の動きを検出する動き検出回路と、色差信号の時間補間を行う色差時間補間回路と、前記色差信号の空間補間を行う色差空間補間回路と、前記輝度時間補間回路の結果からコーミングがないことを検出するコーミング無検出回路と、前記色差時間補間回路の結果からコーミングがあることを検出するコーミング有検出回路と、前記色差時間補間回路の出力と前記色差空間補間回路の出力のいずれかを、前記コーミング無検出回路及び前記コーミング有検出回路の検出結果に基づき選択する第１のセレクタと、前記第１のセレクタの出力と前記色差空間補間回路の出力のいずれかを、前記動き検出回路の検出結果に基づき選択する第２のセレクタと、前記輝度空間補間回路の出力と前記輝度時間補間回路の出力のいずれかを、前記動き検出回路の検出結果に基づき選択する第３のセレクタとを有し、前記輝度信号に動きがある場合は前記色差信号に空間補間をし、前記輝度信号に動きがない場合であって前記輝度信号にコーミングがなく前記色差信号にコーミングがある場合はクロマアップサンプリングエラーが有として前記色差信号に空間補間をし、前記輝度信号に動きがなく前記クロマアップサンプリングエラーがない場合は前記色差信号に時間補間を施し、前記輝度信号に動きがある場合前記輝度信号に空間補間を施し、動きがない場合は前記輝度信号に時間補間を施し出力するものである。
【手続補正４】
【補正対象書類名】明細書
【補正対象項目名】００２６
【補正方法】変更
【補正の内容】
【００２６】
動き検出回路２３は、フレーム間で輝度信号に一定以上の変化があれば動きありと判断する。空間補間回路２１、２５は、フレーム内で補間を行う。時間補間回路２２、２４は、フレーム間で補間を行う。ＡＮＤ回路２８は、コーミング検出回路２６にてコーミングなしと判断され、コーミング検出回路２７にてコーミングありと判断された場合、ハイを出力し、第１のセレクタ２９において空間補間回路２５からの出力を選択する。また、動き検出回路２３で動きが検出された場合、第２のセレクタ３０で空間補間回路２５の出力を選択する。同様に、第３のセレクタ３１で空間補間回路２１の出力を選択する。
【手続補正５】
【補正対象書類名】図面
【補正対象項目名】図３
【補正方法】変更
【補正の内容】
【図３】
2009272862.tif 000001
【手続補正６】
【補正対象書類名】図面
【補正対象項目名】図５
【補正方法】変更
【補正の内容】
【図５】
2009272862.tif 000002